(57)【要約】  所定の地理的区域２０に関する行方不明のエンティティの存在確率分布を算出すること、およびセルＡ、Ｂ、Ｃ、Ｄベースの無線遠隔通信ネットワークを介して、その確率分布に応じて、所定の取り戻しエンティティ１２の少なくとも１つのセットに行方不明のエンティティの情報を送信することを備える、セルベースの無線遠隔通信ネットワークを介して行方不明のエンティティを取り戻すための方法が開示される。また、関連するシステム、デバイス、および無線通信ネットワークも提供されている。
2011527129.tif 000002
【特許請求の範囲】
【請求項１】
セルベースの無線遠隔通信ネットワークを介して行方不明のエンティティを取り戻すための方法であって、
所定の地理的区域に関する前記行方不明のエンティティの存在確率分布を算出すること、および
前記セルベースの無線遠隔通信ネットワークを介して、前記確率分布に応じて、所定の取り戻しエンティティの少なくとも１つのセットに前記行方不明のエンティティの情報を送信することを備えることを特徴とする、方法。
【請求項２】
前記存在確率分布を、前記セルベースの無線遠隔通信ネットワークの地理的に対応するセルの第１のセット上にマップすることをさらに備える、請求項１に記載の方法。
【請求項３】
前記情報がセルの第２のセットの中に存在する取り戻しエンティティに送信される、請求項２に記載の方法。
【請求項４】
前記存在確率分布が行方不明のエンティティの環境パラメータおよび／または履歴データの統計分析の結果および／またはモデルおよび／または事実および／または選好に部分的に、または完全に基づいて算出される、請求項１から３のいずれかに記載の方法。
【請求項５】
前記環境パラメータが前記無線ネットワークインフラストラクチャ上に位置付けられたセンサデバイスによって供給される、請求項４に記載の方法。
【請求項６】
前記環境パラメータが風向を備える、請求項４または５に記載の方法。
【請求項７】
セルベースの無線通信ネットワークと対話するために構成された、行方不明のエンティティを取り戻すためのシステムであって、
所定の地理的区域に関する前記行方不明のエンティティの存在確率分布を算出するための手段と、
前記セルベースの無線通信ネットワークを介して、前記確率分布に応じて、所定の取り戻しエンティティの少なくとも１つのセットに前記行方不明のエンティティの情報を送信するための手段とを備えることを特徴とする、システム。
【請求項８】
環境パラメータを測定するために構成されたセンサデバイスのセットをさらに備える、請求項７に記載のシステム。
【請求項９】
前記存在確率分布を、前記セルベースの無線遠隔通信ネットワークの地理的に対応するセルの第１のセット上にマップするための手段をさらに備える、請求項７から８のいずれかに記載のシステム。
【請求項１０】
セルの第２のセットの中に存在する取り戻しエンティティに情報を送信するための手段をさらに備える、請求項７から９のいずれかに記載のシステム。
【請求項１１】
前記行方不明のエンティティが最後に見られた位置、および／または前記行方不明のエンティティが最後に見られた時刻に基づいて、さらに／または前記行方不明のエンティティの環境パラメータおよび／または履歴データの統計分析の結果および／またはモデルおよび／または事実および／または選好に基づいて前記存在確率分布を算出するための手段を備える、請求項７から１０のいずれかに記載のシステム。
【請求項１２】
セルベースの無線通信ネットワークに環境パラメータを通信するために構成された、ネットワークインフラストラクチャサイトに配置されたセンサノードを備えることを特徴とする、セルベースの無線通信ネットワーク。
【請求項１３】
環境パラメータを測定するために構成された少なくとも１つのセンサと、
もたらされる測定を前記無線通信ネットワークに通信するための手段とを備えることを特徴とする、無線通信ネットワークにおいて使用するための無線通信ネットワークインフラストラクチャ要素。
【請求項１４】
エンティティを取り戻す際に使用するためのデバイスであって、
所定の地理的区域に関する前記エンティティの存在確率分布を算出するために構成されることを特徴とする、デバイス。
【請求項１５】
セルベースの無線通信ネットワークに備えられるように構成されたモジュールであって、
エンティティの存在確率分布を、前記セルベースの無線遠隔通信ネットワークの地理的に対応するセルのセットの上にマップするために構成されている、または準備されていることを特徴とする、モジュール。
【発明の詳細な説明】
【技術分野】
【０００１】
本発明は、行方不明のエンティティを取り戻すことの分野に関し、特に、セルベースの無線ネットワークを利用する方法およびシステムに関する。さらに、本発明は、そのような方法において使用されるように構成され、さらにそのようなシステムと対話するように構成されたセルベースの無線ネットワークに関する。
【背景技術】
【０００２】
夏の間、多くの子供が浜辺で行方不明になり、捜し出して戻されなければならない。このことは、例えば、これらの子供の跡をたどり、捜し出して戻す浜辺の監視員および保護者の多くの労力を要求する。浜辺の監視員は、子供が浜辺で行方不明になる場合に風下に向って歩く傾向にあることを知っている。したがって、捜索を最も効果的にするため、子供が最後に見られた場所から開始して風下の浜辺の監視員に警戒態勢をとらせることが適切である。捜索で忙しい浜辺の監視員は、泳ぐ人々を監視することができず、このことは、特に、多くの子供が存在し、浜辺で行方不明になる休暇シーズン中、危険な状況につながる可能性もある。捜索を開始することができるにはまず、捜索する人々を見つける必要があり、それらの捜索する人々に連絡を取る必要がある。
【発明の概要】
【発明が解決しようとする課題】
【０００３】
行方不明のエンティティを取り戻すため、捜索する人々を見つける必要があり、それらの捜索する人々に連絡を取る必要がある。捜索する人々は、例えば、年齢、名前、写真、報告の時刻、ならびに他に誰が捜索しているかなどの、行方不明の子供についてのいくらかの記述および情報を受け取るかもしれない。
【０００４】
最新技術の無線セルベースの通信ネットワークを利用する技術は、例えば、無線ネットワーキングインフラストラクチャを介して識別されて、位置特定されることが可能な、浜辺のＧＳＭなどのすべての移動デバイスに捜索警報をブロードキャストすることである。このことは、非常に費用がかかり、無線通信ネットワークに余計な負荷をもたらす可能性もある。さらに、このことは、例えば、パニックからもたらされる不要な効果を生じさせる可能性がある。
【課題を解決するための手段】
【０００５】
セルベースの無線遠隔通信ネットワークを介して行方不明のエンティティを取り戻すための方法が、開示され、この方法は、
所定の地理的区域に関する、その行方不明のエンティティのＰＤＤ（存在確率分布）を算出すること、およびセルベースの無線遠隔通信ネットワークを介して、その確率分布に応じて、所定の取り戻しエンティティの少なくとも１つのセットに行方不明のエンティティの情報を送信することを備える。
【０００６】
本発明の目的において、行方不明のエンティティは、自らの場所を移すことができる任意のエンティティであってもよい。失われる可能性がある典型的なエンティティが、例えば、子供、例えば、犬や猫などの動物、精神病のある、または酔った、または薬物を摂取した個人であるが、窃盗の場所から逃亡することが可能な窃盗犯もそうである。また、行方不明のエンティティは、例えば、火事の境界線（焼けた区域と焼けていない区域の間の線）でもあり得る。セルベースの無線通信ネットワークは、ＧＳＭネットワーク、ＧＳＭ，ＧＰＲＳ、ＵＭＴＳ、ＷＬＡＮ、Ｂｌｕｅｔｏｏｔｈネットワーク、あるいはセルベースである他の任意の最新技術の、または将来のネットワークであり得るが、以上に限定されない。存在確率分布は、或る位置における行方不明のエンティティの存在に関する確率分布であってもよい。この確率分布は、連続的であっても、離散的、すなわち、所定の地理的区域のいくつかの部分区域に関して一定であってもよい（例えば、この確率分布は、セルベースの移動体ネットワークの複数のセルと一致する部分区域に関して一定であってもよい）。所定の地理的区域は、様々な仕方で決定されてもよい。
【０００７】
本発明の好ましい実施形態によれば、この地理的区域は、行方不明のエンティティが最後に見られた位置に部分的に、または完全に基づいて決定される。
【０００８】
本発明の実施形態によれば、この地理的区域は、行方不明のエンティティが最後に見られた時刻に、または行方不明のエンティティが最後に見られた位置と時刻に部分的に、または完全に基づいて決定される。
【０００９】
本発明の好ましい実施形態によれば、存在確率分布は、行方不明のエンティティが最後に見られた位置に少なくとも部分的に基づいて算出される。
【００１０】
本発明の実施形態によれば、存在確率分布は、行方不明のエンティティが最後に見られた時刻に、または行方不明のエンティティが最後に見られた位置と時刻に少なくとも部分的に基づいて算出される。
【００１１】
本発明の実施形態によれば、存在確率分布は、環境パラメータに少なくとも部分的に基づいて算出され得る。環境パラメータは、例えば、温度、温度分布、風向、風速、汚染濃度、地理的情報、気象情報などであってもよい。
【００１２】
また、存在確率分布は、行方不明のエンティティの位置の履歴データパターン（例えば、ＧＰＳ、またはＧＳＭネットワークなどの最新技術によって取得／監視されてもよい。これは、例えば、行方不明のエンティティが加入していることが可能なプレゼンスサービスから取得され得る行方不明のエンティティに関する情報に基づいてもよい）の統計分析の結果に基づいて算出されることも可能であり、あるいは、例えば、無線通信ネットワークユーザの所定のセットの情報に基づいてもよい。そのようなセットは、例えば、行方不明のエンティティのプロファイルに対応するプロファイルを有するユーザのセットであってもよい。
【００１３】
存在確率分布は、経験的であってもよいモデルを利用することによってさらに算出されてもよい。
【００１４】
本発明の他の実施形態によれば、存在確率分布は、行方不明のエンティティの事実または詳細に基づいてもよく、あるいは行方不明のエンティティの選好に基づいてもよい。例えば、存在確率分布は、行方不明の個人の関心に応じて算出されることが可能であり、つまり、子供が遊び場に引き寄せられる可能性があり、あるいは窃盗犯が鉄道の駅に引き寄せられる可能性があり、火は、風がある場合、通常、風の方向である火の拡大の方向に移動する。
【００１５】
所定の取り戻しエンティティのセットは、予め定められていてもよい。このセットは、例えば、浜辺の監視員、警察官、家族、チームメート、クラスメート、あるいは行方不明のエンティティを取り戻すことに関与している可能性があるエンティティの職業上、または関係上、結び付けられた他のセットを備えてもよい。所定の取り戻しエンティティのセットは、例えば、プレゼンスサービス登録ユーザ向けの移動体ネットワーク事業者からのプレゼンスサービスまたはプレゼンスサーバからの情報に基づいて形成されてもよい。
【００１６】
行方不明のエンティティの情報を送信することは、任意の最新技術の通信ネットワークアーキテクチャによって実行されることが可能であり、さらに、好ましくは、セルベースの無線通信ネットワークインフラストラクチャ（５）を使用することが可能である。行方不明のエンティティの情報は、例えば、行方不明の子供の場合、例えば、年齢、名前、写真を提供することが可能な母親であってもよい情報エンティティによって提供されることが可能であり、これらの情報は、報告の時刻、他に誰が捜索しているかなどをさらに備えてもよい。情報エンティティの所定のセットは、情報をシステムに入力することをさらに許されてもよい。行方不明のエンティティの情報を所定の取り戻しエンティティの少なくとも１つのセットに送信することにより、その地理的区域内の全員ではなく、（場合により、無線ネットワーク事業者に備えられたユーザの何らかのプロファイルに基づいて）パニックを起こさない、または取り戻し権限を有する取り戻しエンティティだけが関与するので、パニックが回避されうる。存在確率分布に応じて行方不明のエンティティの情報の送信をさらに制限することにより、捜索効率を実質的に全く損なうことなしに、さらに少ない人々および労力しか関与することが必要とされない。
【００１７】
本発明の好ましい実施形態によれば、存在確率分布（およびこのような所定の地理的区域）が、セルベースの無線通信ネットワークの地理的に対応するセルの第１のセットの上にマップされる。セルベースの無線通信ネットワークは、円形の区域または円形のセクタを範囲に含んでもよいことに留意されたい。セルベースの無線通信ネットワークは、通常、或る地理的区域の部分区域を範囲に含み、さらに部分的に重なり合ういくつかのセルを通常、備えている。
【００１８】
本発明の好ましい実施形態によれば、行方不明のエンティティの情報は、セルの第２のセットの中に存在する取り戻しエンティティに送信される。セルの第２のセットは、好ましくは、セルの第１のセットに等しい、またはセルの第１のセットのサブセットであるが、これは、異なってもよい。セルの第２のセットは、例えば、所定の区域に隣接する、または近いが、この区域に対応しないセルを備えてもよい。
【００１９】
本発明の所定の実施形態によれば、セルの第２のセットは、最高の確率を有するセル、または最上位の確率を有する複数のセルのセットである。
【００２０】
本発明のいくつかの実施形態によれば、例えば、存在確率が最高であるセルの第２のセットの中で捜索が実行されることが可能であり、その後、不成功であった場合、より低い確率を有するセルの第３のセットの中で捜索が実行されることが可能であるように、存在確率分布に応じてセルの異なるさらなるセットが定義されてもよい。セルの第４のセット、第５のセット、．．．第ｎのセットが同様に、行方不明のエンティティを取り戻すための段階的アプローチにおいて使用されてもよい。また、段階的アプローチにおいて使用されるセルの後続のセットは、時間依存の存在確率分布に基づいてもよい。例えば、最高の確率／最上位の複数の確率を有するセルと合致するセルの第２のセットが捜索された後、新たな存在確率分布が算出されることが可能であり、その後、セルの第３のセットが、最上位の複数の存在確率を有するセルのセットとして再び決定されてもよい。これは、再び段階的に繰り返されてもよい。また、行方不明のエンティティを取り戻すための両方のタイプの段階的アプローチが組み合わされてもよい。
【００２１】
本発明の実施形態によれば、存在確率分布を算出する際に使用される環境パラメータは、好ましくは、無線ネットワークインフラストラクチャ上に位置付けられるセンサデバイスによって供給される。そのようなセンサデバイスによって供給されることが可能な環境パラメータの１つが、風向、および／または風速、および／または温度（つまり、任意のパラメータ、あるいは任意の数のそれらのパラメータの可能な任意の組合せ）である。
【００２２】
本発明の或る態様によれば、
−  所定の地理的区域に関する行方不明のエンティティの存在確率分布を算出するための手段と、
−  その確率分布に応じて、セルベースの無線通信ネットワークを介して所定の取り戻しエンティティの少なくとも１つのセットに行方不明のエンティティの情報を送信するための手段とを備える、セルベースの無線通信ネットワークと対話するために構成された、行方不明のエンティティを取り戻すためのシステムが開示される。
【００２３】
本発明による方法の態様、特徴、および利点は、本発明の第２の態様によるシステムにも同様に当てはまり、本発明の第２の態様によるシステムの態様、特徴、および利点は、本発明による方法にも同様に当てはまる。
【００２４】
いくつかの実施形態によれば、システムは、環境パラメータを測定するために構成されたセンサデバイスのセットをさらに備える。風向、風速、温度、大気汚染度などを測定するために、センサデバイスのセットが構成されてもよい。
【００２５】
好ましい実施形態によれば、システムは、センサデバイスのセットによって測定された環境パラメータを入力するための手段をさらに備える。本発明によるシステムは、存在確率分布を、セルベースの無線通信ネットワークの地理的に対応するセルの第１のセットの上にマップするための手段をさらに備えてもよい。
【００２６】
いくつかの実施形態によれば、システムは、セルの第２のセットの中に存在する取り戻しエンティティに情報を送信するための手段をさらに備えてもよい。そのような情報を送信するために、任意の最新技術のシステムが使用されてもよい。例えば、ＷＬＡＮネットワーク、Ｂｌｕｅｔｏｏｔｈネットワーク、ＧＳＭ、ＧＰＲＳ、ＵＭＴＳ、任意のセルベースの無線通信ネットワークが使用されてもよい。送信される情報は、任意のタイプの情報であってもよく、例えば、ＳＭＳ、ＭＭ、マルチメディア、音声、写真などであってもよい。本発明の方法態様に関して説明されるとおり、これに相応して、本発明のシステムは、行方不明のエンティティが最後に見られた位置、および／または行方不明のエンティティが最後に見られた時刻に基づいて地理的区域を決定するための手段を備えてもよい。本発明のシステムは、行方不明のエンティティが最後に見られた位置、および／または行方不明のエンティティが最後に見られた時刻に基づいて、さらに／または行方不明のエンティティの環境パラメータおよび／または履歴データの統計分析の結果および／またはモデルおよび／または事実および／または選好（つまり、いずれかの前述したパラメータの単独または任意の数のそれらのパラメータの可能な任意の組合せ）に基づいて存在確率分布を算出するための手段を備えてもよい。利用可能な情報のタイプおよび品質に依存して、存在確率分布を算出する際に、異なる入力パラメータが使用され、組み合わされてもよい。
【００２７】
本発明の第３の態様によれば、セルベースの無線通信ネットワークに、または本発明の第２の態様によるシステムに環境パラメータを通信するために構成された、ネットワークインフラストラクチャサイトに配置されたセンサノードを備えるセルベースの無線通信ネットワークが開示される。これらのセンサノードは、セルベースの無線ネットワークを介して、またはセルベースの無線ネットワークに動作上、結合されていることによって、システムに環境パラメータを通信することができる。
【００２８】
本発明の第４の態様によれば、環境パラメータを測定するために構成された少なくとも１つのセンサと、もたらされる測定を無線通信ネットワークに通信するための手段とを備える、無線通信ネットワークにおいて使用するための無線通信ネットワークインフラストラクチャ要素が開示される。この要素は、例えば、基地局、あるいはアンテナの支持構造物であってもよい。
【００２９】
本発明の第５の態様によれば、所定の地理的区域に関するエンティティの存在確率分布を算出するために構成された、エンティティを取り戻す際に使用するためのデバイスが説明される。
【００３０】
本発明の第６の態様によれば、エンティティの存在確率分布を、セルベースの無線遠隔通信ネットワークの地理的に対応するセルのセットの上にマップするために構成された、さらに／または準備された、セルベースの無線通信ネットワークに備えられるように構成されたモジュールが開示される。
【００３１】
当業者には認識されるとおり、本発明の第１の態様および第２の態様の特徴および実施形態に対応する、本発明の第２の態様、第３の態様、第４の態様、第５の態様、および第６の態様に関する特徴および実施形態も同様に、本発明の範囲内に含まれるものと考えられる。
【００３２】
本発明のさらなる態様が、従属請求項によって表される。従属請求項からの特徴、独立請求項からの特徴、および他の従属請求項の任意の特徴が、特許請求の範囲によって規定される特定の組合せにおいてだけでなく、当業者に適当と考えられるとおりに組み合わされてもよい。
【００３３】
本明細書で説明される機能は、ソフトウェア、ファームウェア（例えば、固定論理回路）、ハードウェア、手動処理、またはこれらの実施形態の組合せを使用して実施されてもよい。本明細書で使用される「モジュール」、「構成要素」、「機能」、および「論理」という用語は、ソフトウェア、ファームウェア、ハードウェア、または以上の任意の組合せを一般的に表す。ソフトウェア実施の事例において、モジュール、構成要素、機能、または論理は、１つまたは複数のプロセッサ（例えば、マイクロプロセッサ、コントローラなどのいずれか）の上で実行されると、指定されたタスクを実行するプログラムコードを表す。このプログラムコードは、１つまたは複数のコンピュータ可読メモリデバイスまたはストレージ手段の中に格納されてもよい。さらに、本明細書で説明される方法およびシステムは、プラットフォーム非依存であり、このため、これらの技術は、様々なプロセッサを有する様々な市販のコンピューティングプラットフォーム上で実施されることが可能である。
【００３４】
また、本発明による方法は、コンピュータ実行可能命令の一般的なコンテキストにおいて説明されてもよい。コンピュータ実行可能命令には、特定の機能を実行する、または特定の抽象データ型を実装するルーチン、プログラム、オブジェクト、構成要素、データ構造、手順、モジュール、関数などが一般に含まれてもよい。また、本明細書で説明される方法は、通信ネットワークを介してリンクされた遠隔処理デバイスによって機能が実行される、分散コンピューティング環境において実施されてもよい。分散コンピューティング環境において、コンピュータ実行可能命令は、メモリストレージデバイスを含む、ローカルコンピュータ記憶媒体と遠隔コンピュータ記憶媒体の両方の中に配置されてもよい。
【００３５】
添付の図面が、本発明の実施形態を例示するのに使用される。
【図面の簡単な説明】
【００３６】
【図１】本発明による方法、システム、およびネットワークが使用されることが可能である代表的な状況を示す図である。
【図２】本発明の第２の態様によるシステムを示す図である。
【図３】本発明の実施形態のシステムおよび方法と合致するアーキテクチャを示す図である。
【図４】図３のアーキテクチャに対応する可能な呼フローの要素をさらに示す図である。
【発明を実施するための形態】
【００３７】
参照符号は、異なる図または図面における、同様のまたは等しい要素または特徴に関して同一であるように選択されている。
【００３８】
（例示的な実施形態の説明）
それぞれの図面と併せて読むと、以下の詳細な説明から、本発明の以上、およびその他の有利な特徴および目的が、より明白となり、本発明が、よりよく理解される。
【００３９】
本発明の態様の説明は、特定の実施形態を介して、いくつかの図面を参照して行われるが、本発明は、そのような実施形態および図面に限定されない。描かれる図は、単に概略に過ぎず、限定するものと考えられてはならない。例えば、いくつかの要素または特徴は、他の要素に対して一律の縮尺に従わずに示される可能性がある。
【００４０】
本発明によるいくつかの実施形態の説明において、様々な発明の態様のうち１つまたは複数の態様の理解を助けるために、様々な特徴は、ときとして、単一の実施形態、図、またはその説明に一緒にグループ化される。このことは、或る特定の問題を解決するために、そのグループのすべての特徴の存在が不可欠であるかのように解釈されてはならない。発明の態様は、或る特定の実施形態の説明に存在するそのようなグループの特徴のうちのすべてに満たない特徴に存してもよい。
【００４１】
本発明の或る実施形態が、図１において説明される。或る子供が、海（１０）に近い浜辺（２０）で行方不明になることがあり得る。風向きが、矢印（Ｐ）によって示され、矢印（Ｐ）は、この事例では、実質的に直線の海岸線と実質的に平行である。子供は、迷子になって、基準点が見つからない場合、通常、風の方向に移動しはじめる。この事例では、子供は、おそらく、（子供がセルＡ内のどこかで迷子になったものと想定して）セルＡに次いでセルＢ、それに次いでセルＣ、それに次いでセルＤなどといった具合に、無線通信ネットワークのセルによって示される方向に従う。例えば、セルＡの地理的区域内に存在する、その子供の母親が、自分の移動電話機（１３）を使用することによって浜辺救助アプリケーションサーバ（２）と連絡を取ることが可能である。浜辺救助アプリケーションサーバ（２）は、例えば、浜辺監視員または警察官などの、例えば、取り戻しエンティティ（１２）のセットに、その情報を転送することが可能である。同時に、浜辺救助アプリケーションサーバは、救助マネージャ（１１）または救助管理センタ（１４）と連絡を取っていることが可能であり、そこでは救助プロセス全体がフォローアップされる。この場合、「救助」という用語が使用されたが、代わりに「取り戻し」という一般的な用語（したがって、より一般的な用語、すなわち、取り戻しアプリケーションサーバ、取り戻しマネージャ、取り戻し管理など）が使用されることが可能であることに留意されたい。浜辺救助アプリケーションサーバ（または取り戻しアプリケーションサーバ）は、移動体ネットワークと通信する、例えば、移動体ネットワークのＯＳＰ（オープンサービスプラットフォーム）と通信することが可能であり、移動体ネットワークは、例えば、ＧＳＭポール（８）を備える移動体ネットワークインフラストラクチャと通信することが可能であり、移動体ネットワークインフラストラクチャは、例えば、風向センサ（６１）、および／または風速センサ（６２）、および／または温度センサ（６２）などの適切なセンサ（コンテキストセンサ）を備える場合、センサネットワークノードになってもよい。例えば、ＧＳＭポールなどの既存の無線ネットワークインフラストラクチャにおいてコンテキストセンサまたはセンサデバイスが提供されてもよく、追加のインフラストラクチャが提供される必要がないことが、本発明の利点である。さらに、これらのセンサデバイス（またはコンテキストデバイス）は、移動体ネットワークを利用することによって、浜辺救出アプリケーションサーバ（取り戻しアプリケーションサーバ）と通信することが可能である。
【００４２】
いくつかの実施形態によれば、これらのセンサデバイス（またはコンテキストセンサ）は、既存のネットワークインフラストラクチャとは独立に配置され、あるいは、これらのタイプのロケーションの両方に配置されてもよい。或る地理的区域内に既に存在するセンサデバイスが、本発明によるシステムと環境パラメータ情報を交換するために構成されてもよく、あるいはそのような使用のために構成されるように更新されてもよいことに留意されたい。センサデバイスによって測定される環境パラメータを考慮に入れることにより、本発明によるシステムは、行方不明のエンティティを取り戻すことに関する確率がより高い地理的区域を定義することを可能にし、その結果、行方不明のエンティティを取り戻す、より効率的な方法をもたらす。存在確率分布を既存のセルベースの無線通信ネットワーク上にマップすることにより、地理的区域内の取り戻しエンティティに結合することが、取り戻しエンティティの無線通信デバイスを介して行われてもよい。また、このソリューションは、パニックが回避され得るという利点も提供する。当業者には認識されるとおり、様々なアーキテクチャが考えられ得ることに留意されたい。例えば、行方不明の子供がいる代わりに行方不明の犬がいてもよく、あるいは、例えば、精神病または薬物の影響のために、自分がどこにいるかを自らが認識していない個人がいてもよい。代替において、行方不明のエンティティは、火事または洪水波の境界線であってもよい。したがって、本発明は、救助アプリケーションのために使用され得るだけでなく、例えば、警察署および消防署によって使用されるアプリケーションなどの安全およびセキュリティのアプリケーションのために使用されてもよい。窃盗犯が窃盗の場所から逃げることが可能であり、したがって、特定の選好を有する可能性があり、つまり、窃盗犯は、例えば、ハイウェイに向って逃げる、または駅に向って逃げる可能性があり、窃盗犯は、例えば、建造物を上ることを回避する可能性がある。窃盗犯は、自宅（特定されている場合、有用である）に戻ることを選好する可能性がある。また、行方不明のエンティティのこれらの個人的な選考は、本発明に従って存在確率分布を算出する際に、考慮に入れてもよい。
【００４３】
本発明の実施形態が使用され得る別の例示的な状況は、以下のとおりである。すなわち、火事の境界線が、行方不明のエンティティと見なされてもよい。火事の近隣にいる人々が、火事の範囲、火事の方向、およびその他の関連する事実について、火事がその人々の自宅に近づきすぎる前に間に合って避難することができるように、セルベースの無線通信ネットワークを介して知らされてもよい。火事の移動は、存在確率分布によって表され得る。
【００４４】
前の例で既に例示された別の例において、本発明による方法およびシステムが、例えば、或る地理的区域の段階的避難を組織するのに使用されてもよい。例えば、大気中の汚染の雲が、ネットワークインフラストラクチャに配置されたセンサデバイスと相互に作用することが可能であり、いくつかの区域からの（取り戻しエンティティに対応する）人々の段階的避難をトリガしてもよい。この場合、取り戻しエンティティ（取り戻すのではなく、エンティティが存在する場所から離れる）の役割は、異なるが、本発明による方法およびシステムが使用され得る。また、段階的避難は、例えば、フットボールスタジアムにおけるパニック状況、病院からの避難、交通渋滞で閉鎖されたハイウェイからの避難（交通量パラメータ、および対応するセンサまたは測定デバイスに基づく）などの場合などの他の状況において発生してもよい。
【００４５】
より正確で、効果的な救助または災害または取り戻しの管理活動が、本発明による方法、システム、およびネットワークによって実現され得ることが認識されよう。セルベースの無線通信ネットワークが、より効率的に使用されて、ネットワークの負荷および費用の低減がもたらされることが可能である。
【００４６】
情報が、いくつかのセル内に存在するすべての個人に送信、ブロードキャストされる、つまり、取り戻す人々のセットが、或る区域内の対応可能なすべての個人を備える場合でさえ、本発明の実施形態は、捜索を行うのに先立って、存在確率分布算出を提供し、この存在確率分布算出に捜索を基づかせることによって、より効率的な捜索という利点をもたらすことに留意されたい。
【００４７】
図３は、本発明の実施形態のシステムおよび方法に対応するアーキテクチャを示す。このシステムは、ＰＳ（プレゼンスサービス）、ＲＳ（取り戻しサービス）、ＧＩＳ（地理情報サービス）、ＷＳ（気象サービス）、他のＯＳ（オプションサービス）、ならびに、例えば、移動ハンドセットなどの無線デバイス（ＷＤ  １およびＷＤ  ２、．．．、ＷＤ  Ｎ）を備えてもよい。
【００４８】
ＰＳ（プレゼンスサービス）は、取り戻しシナリオにおいて知られている様々な参加者および取り戻し対象のリアルタイム通信プレゼンスステータスをもたらす。クライアントサービスが、エンティティの通信プレゼンスステータスを観察することに加入する。例えば、オンラインからオフラインに変化することなどのエンティティのプレゼンスプロパティ値変化、またはネットワーク技術使用の変化が、接続された、加入するクライアントサービスに転送されてもよい。
【００４９】
ＲＳ（取り戻しサービス）は、取り戻しシナリオセッションを管理し、実行するサービスである。取り戻し活動の実行および最適化のため、取り戻しサービスは、ＧＩＳ（地理情報サービス）、ＰＳ（プレゼンスサービス）、ＤＢＳ（方向ブロードキャストサービス）、ならびに取り戻し活動に関与する様々な関係者の移動ハンドセットなどの、他のネットワーク化されたサービスとリアルタイムで協働する。ＲＳ（取り戻しサービス）が、取り戻し対象とされるエンティティの算出された存在確率分布状態に基づいて、例えば、台本のあるシナリオを実行した。ＲＳ（取り戻しサービス）は、取り戻し対象とされるエンティティの現在のまたは予測される存在確率分布のコンテキストと関係するトポロジ情報および地理情報を取得するようにＧＩＳ（地理情報サービス）を呼び出す。このことは、例えば、取り戻し対象とされるエンティティの存在確率分布についての情報が補われ、さらに、例えば、取り戻し活動に関与するその他の関係者のプレゼンスステータスおよび位置特定が補われたローカル地理マップを配信するように行われる。取り戻しサービスは、取り戻し対象とされるエンティティの存在確率分布に対する気象条件または気象予測の影響を算出する、または最新にしておく際に、ＷＳ（気象サービス）を呼び出す。この情報は、例えば、取り戻し活動の発見的および経験的駆動の適応を促進するために、地理ローカルマップに重ね合わされた増補として、取り戻し活動に関与する別の関係者に再度配信されてもよい。ＷＳ（方向ブロードキャストサービス）が、ＲＳ（取り戻しサービス）によって、関与する関係者に取り戻し活動情報をブロードキャストするように呼び出される。また、ＷＳ（方向ブロードキャストサービス）は、地理的位置、方向、関心対象の区域、役割、資格、ネットワーク技術、プレゼンスステータスなどの所与のプロパティセットと関連して候補関係者を取得するのにも使用される。
【００５０】
図４は、図３のアーキテクチャに対応する可能な呼フローの要素をさらに示す。（ａ）行方不明のエンティティを捜すことを求める要求呼を受信した後、ＲＳは最初に、受信された情報に基づいて、（ｂ）コンテキスト、例えば、風向、気象、地理的条件などをフェッチすることを開始する。次に、ＲＳは、その情報を集約し、行方不明のエンティティに関する存在確率密度を計算し、これにより、行方不明のエンティティに関する可能な位置および地域を計算し、これらの位置および地域を優先順位付きでリストアップする。その後、ＲＳは、（ｃ）ＰＳに照会することによって、いずれの移動ハンドセットがそれらの地域内に存在するかを特定し、（ｄ）次に、ＤＢＳに移動体ＩＤを与え、ＤＢＳが、識別された移動ハンドセットに救助メッセージを最終的にブロードキャストする。（ｄ）は、行方不明のエンティティが見つかるまで繰り返されてもよい。また、必要とされる場合、例えば、存在確率分布の算出のために使用されるモデルが、考慮されるパラメータの１つに強く依存し、さらにそのようなパラメータがすぐに変化する（と見込まれる）場合、（ｂ）および（ｃ）が繰り返されてもよい。
【００５１】
本明細書で説明される一部の実施形態は、他の実施形態に含まれるいくつかの特徴を含み、他のいくつかの特徴は含まないが、当業者には理解されるとおり、様々な実施形態の特徴の組合せが、本発明の範囲内に含まれ、様々な実施形態を形成するものとされる。
【００５２】
本発明の原理は、特定の実施形態に関連して以上に説明されてきたが、この説明は、単に例として行われたに過ぎず、添付の特許請求の範囲によって規定される保護の範囲の限定として行われたのではないことを明確に理解されたい。
【図１】
2011527129.tif 000003
【図２】
2011527129.tif 000004
【図３】
2011527129.tif 000005
【図４】
2011527129.tif 000006
【国際調査報告】
2011527129.tif 000007
2011527129.tif 000008
2011527129.tif 000009